(57)【要約】【課題】上下げされる排煙窓と、その下方に嵌め殺しのＦＩＸ窓が配置される構成において、新規な技術について提案するものである。【解決手段】上下げされる排煙窓１と、前記排煙窓１の下方にＦＩＸ窓２を有する排煙窓ユニット６Ｂであって、前記排煙窓ユニット６Ｂは、前記排煙窓１と前記ＦＩＸ窓２を組み付けるための方立６３Ｂを少なくとも一つ有し、前記方立６３Ｂは、第一の枠体Ｗ１と、前記第一の枠体Ｗ１に固定され、前記ＦＩＸ窓２の側端部を挿入し得る第二の縦溝Ｌ２を有する第二の枠体Ｗ２と、を有しており、前記第一の枠体Ｗ１と前記第二の枠体Ｗ２の間には、排煙窓１の側端部を挿入し得る第一の縦溝Ｌ１が形成されるものとする。【選択図】図１
2011080198.tif 000002
【特許請求の範囲】
【請求項１】
上下げされる排煙窓と、前記排煙窓の下方にＦＩＸ窓を有する排煙窓ユニットであって、
前記排煙窓ユニットは、前記排煙窓と前記ＦＩＸ窓を組み付けるための方立を少なくとも一つ有し、
前記方立は、
第一の枠体と、
前記ＦＩＸ窓の側端部を挿入し得る第二の縦溝を有する第二の枠体Ｗ２と、を有し、
前記第一の枠体と前記第二の枠体Ｗ２の間には、前記排煙窓の側端部を挿入し得る第一の縦溝が形成される、
排煙窓ユニット。
【請求項２】
前記方立には、前記第一の枠体の見込面部を挟んで二つの前記第二の枠体が設けられ、前記見込面部を挟んで両側に、前記第一の縦溝、及び、前記第二の縦溝が形成され得る構成とする、
ことを特徴とする、請求項１に記載の排煙窓ユニット。
【請求項３】
前記第一の枠体と、前記第二の枠体は、別体に構成され、
前記第一の枠体に、前記第二の枠体が固定される、
ことを特徴とする、請求項１又は請求項２に記載の排煙窓ユニット。
【請求項４】
前記排煙窓の上枠にはストッパー部が設けられており、前記排煙窓が下降した際に、前記ストッパー部が前記方立に固定される横桟に当接することで、前記排煙窓の下降が規制される構成とする、
ことを特徴とする、請求項１乃至請求項３のいずれか一項に記載の排煙窓ユニット。
【請求項５】
前記排煙窓ユニットは、前記方立を構成部材として有するユニット枠を有し、前記排煙窓は、補助機構を介して前記ユニット枠に連結されており、前記補助機構は、前記排煙窓を押し上げる方向の反力を発生し得る構成とする、
ことを特徴とする、請求項１乃至請求項４のいずれか一項に記載の排煙窓ユニット。
【請求項６】
前記補助機構のケースは、前記ストッパー部の一部を構成する、
ことを特徴とする、請求項５に記載の排煙窓ユニット。
【請求項７】
上下げされる排煙窓と、前記排煙窓の下方にＦＩＸ窓を有する排煙窓ユニット用の方立であって、
前記方立は、
第一の枠体と、
前記ＦＩＸ窓の側端部を挿入し得る第二の縦溝を有する第二の枠体Ｗ２と、を有し、
前記第一の枠体と前記第二の枠体Ｗ２の間には、前記排煙窓の側端部を挿入し得る第一の縦溝が形成される、
排煙窓ユニット用の方立。
【請求項８】
前記方立には、前記第一の枠体の見込面部を挟んで二つの前記第二の枠体が設けられ、前記見込面部を挟んで両側に、前記第一の縦溝、及び、前記第二の縦溝が形成され得る構成とする、
ことを特徴とする、請求項７に記載の排煙窓ユニット用の方立。
【請求項９】
前記第一の枠体と、前記第二の枠体は、別体に構成され、
前記第一の枠体に、前記第二の枠体が固定される、
ことを特徴とする、請求項７又は請求項８に記載の排煙窓ユニットの方立。
【発明の詳細な説明】
【技術分野】
【０００１】
本発明は、上下げ式の排煙窓に関し、より詳しくは、排煙窓を取付ける窓枠の構造に関する。
【背景技術】
【０００２】
店舗等一定の要件を満たす建物には、消防法により排煙窓の設置が義務付けられている。また、このような消防法に関連する設置義務がない場合でも、室内の換気や、採光の目的で排煙窓が設けられていることもある。
【０００３】
このような排煙窓においては、窓枠内の開口を閉鎖／開放するための排煙窓を、外倒し窓、若しくは、内倒し窓として構成するものが知られている。特許文献１では、排煙窓の下枠側を回動中心とする内倒し窓として構成される排煙窓について開示がされており、窓枠と排煙窓の間にダンパーが介設され、このダンパーを作動させることで排煙窓が開放される構成としている。
【０００４】
また、室内の間仕切りパネルの上部に排煙窓を備える構成も知られており、特許文献２では、上下げ窓を間仕切りパネル内に収容し得る構成が開示されている。
【先行技術文献】
【特許文献】
【０００５】
【特許文献１】特開２００４−２５１０２７号公報
【特許文献２】特開２００９−４６８８０号公報
【発明の概要】
【発明が解決しようとする課題】
【０００６】
しかし、特許文献１のように、ダンパーを備える構成では、このダンパーのコストや取付作業が発生することになる。また、ダンパーの作動確認や定期的なメンテナンスも要求されることになる。また、窓枠及び排煙窓の枠については、それぞれダンパーを固定するための所定の見付幅を確保する必要があり、排煙窓を開いた状態の有効開口面積を広く確保する上で、この見付幅の存在が障害となってしまう。このようなことから、排煙窓において、ダンパーを用いない構成が望まれていた。
【０００７】
他方、特許文献２のような上下げ窓の形態によれば、ダンパーを用いない構成とすることが可能となる。しかし、特許文献２で開示される技術は、排煙窓が間仕切りパネル内に収容する技術であるため、例えば、排煙窓の下方に別の嵌め殺しのＦＩＸ窓が配置され、このＦＩＸ窓の室外側、若しくは、室内側に排煙窓を下降させる構成については、特許文献２に開示される技術を適用することができない。
【０００８】
また、店舗等においては、嵌め殺しのＦＩＸ窓の上方に排煙窓を設け、ＦＩＸ窓・排煙窓のいずれにおいてもガラス面材を用いることで開放感を確保する形態が一般的であるため、このような形態についても、排煙窓を上下げ窓にて構成できることが望まれている。
【０００９】
そこで、本発明は以上の問題点に鑑み、上下げされる排煙窓と、その下方に嵌め殺しのＦＩＸ窓が配置される構成において、新規な技術について提案するものである。
【課題を解決するための手段】
【００１０】
本発明の解決しようとする課題は以上の如くであり、次にこの課題を解決するための手段を説明する。
【００１１】
即ち、請求項１に記載のごとく、
上下げされる排煙窓と、前記排煙窓の下方にＦＩＸ窓を有する排煙窓ユニットであって、前記排煙窓ユニットは、前記排煙窓と前記ＦＩＸ窓を組み付けるための方立を少なくとも一つ有し、前記方立は、第一の枠体と、前記ＦＩＸ窓の側端部を挿入し得る第二の縦溝を有する第二の枠体と、を有しており、前記第一の枠体と前記第二の枠体の間には、排煙窓の側端部を挿入し得る第一の縦溝が形成されるものとする。
【００１２】
また、請求項２に記載のごとく、
前記方立には、前記第一の枠体の見込面部を挟んで二つの前記第二の枠体が設けられ、前記見込面部を挟んで両側に、前記第一の縦溝、及び、前記第二の縦溝が形成され得る構成とするものである。
【００１３】
また、請求項３に記載のごとく、
前記第一の枠体と、前記第二の枠体は、別体に構成され、
前記第一の枠体に、前記第二の枠体が固定される、こととするものである。
【００１４】
また、請求項４に記載のごとく、
前記排煙窓の上枠にはストッパー部が設けられており、前記排煙窓が下降した際に、前記ストッパー部が前記方立に固定される横桟に当接することで、前記排煙窓の下降が規制される構成とするものである。
【００１５】
また、請求項５に記載のごとく、
前記排煙窓ユニットは、前記方立を構成部材として有するユニット枠を有し、前記排煙窓は、補助機構を介して前記ユニット枠に連結されており、前記補助機構は、前記排煙窓を押し上げる方向の反力を発生し得る構成とするものである。
【００１６】
また、請求項６に記載のごとく、
前記補助機構のケースは、前記ストッパー部の一部を構成することとするものである。
【００１７】
また、請求項７に記載のごとく、
上下げされる排煙窓と、前記排煙窓の下方にＦＩＸ窓を有する排煙窓ユニット用の方立であって、前記方立は、第一の枠体と、前記ＦＩＸ窓の側端部を挿入し得る第二の縦溝を有する第二の枠体と、を有しており、前記第一の枠体と前記第二の枠体の間には、排煙窓の側端部を挿入し得る第一の縦溝が形成されるものとする。
【００１８】
また、請求項８に記載のごとく、
前記方立には、前記第一の枠体の見込面部を挟んで二つの前記第二の枠体が設けられ、前記見込面部を挟んで両側に、前記第一の縦溝、及び、前記第二の縦溝が形成され得る構成とするものである。
【００１９】
また、請求項９に記載のごとく、
前記第一の枠体と、前記第二の枠体は、別体に構成され、
前記第一の枠体に、前記第二の枠体が固定される、こととするものである。
【発明の効果】
【００２０】
本発明の効果として、以下に示すような効果を奏する。
【００２１】
即ち、請求項１に記載の発明においては、
上下げされる排煙窓とその下方のＦＩＸ窓を組み付けるための縦溝をそれぞれ構成することができ、方立に対して排煙窓とＦＩＸ窓を組み付ける構成を実現することができる。また、第一の枠体と第二の枠体を別体とすることにより、第二の枠体を出隅などの部位にも利用することができ、方立とそれ以外の箇所において共通の第二の枠体を利用することができ、部品点数の削減を図ることができる。
【００２２】
また、請求項２に記載の発明においては、
方立を挟んで排煙窓ユニットを連設する構成や、方立を挟んで排煙窓ユニットと固定窓ユニットを配置する構成を、適宜実現することができる。換言すれば、方立において、排煙窓ユニットと固定窓ユニットの両方に対応することが可能となり、方立を構成する部品の共通化を図ることができる。
【００２３】
また、請求項３に記載の発明においては、
第二の枠体を出隅などの部位にも利用することができ、方立とそれ以外の箇所において共通の第二の枠体を利用することができ、部品点数の削減を図ることができる。
【００２４】
また、請求項４に記載の発明においては、
簡易な構成で、排煙窓の下降を規制することが可能となる。
【００２５】
また、請求項５に記載の発明においては、
横桟に排煙窓のストッパー部が衝突する際に生じる衝撃を低減することができるようになり、また、排煙窓を押し上げる際には、反力によって軽い力で排煙窓を押し上げることが可能となる。
【００２６】
また、請求項６に記載の発明においては、
補助機構のケースが、ストッパー部の機能を兼ね備えることができ、部品点数の削減を図ることができる。
【００２７】
また、請求項７に記載の発明においては、
上下げされる排煙窓とその下方のＦＩＸ窓を組み付けるための縦溝をそれぞれ構成することができ、方立に対して、排煙窓とＦＩＸ窓を組み付ける構成を実現することができる。また、第一の枠体と第二の枠体を別体とすることにより、第二の枠体を出隅などの部位にも利用することができ、方立とそれ以外の箇所において共通の第二の枠体を利用することができ、部品点数の削減を図ることができる。
【００２８】
また、請求項８に記載の発明においては、
方立を挟んで排煙窓ユニットを連設する構成や、方立を挟んで排煙窓ユニット固定窓ユニットを配置する構成を、適宜実現することができる。換言すれば、方立において、排煙窓ユニットと固定窓ユニットの両方に対応することが可能となり、方立を構成する部品の共通化を図ることができる。
【００２９】
また、請求項９に記載の発明においては、
第二の枠体を出隅などの部位にも利用することができ、方立とそれ以外の箇所において共通の第二の枠体を利用することができ、部品点数の削減を図ることができる。
【図面の簡単な説明】
【００３０】
【図１】本発明の一実施形態にかかる排煙窓ユニットについて示す図。
【図２】排煙窓ユニットを連設する例について示す図。
【図３】図２のＡ−Ａ線断面図。
【図４】図２のＢ−Ｂ線断面図。
【図５】ＦＩＸ窓、ユニット枠の他の構成例について示す図。
【図６】ラッチ機構による排煙窓の閉鎖状態について示す図。
【図７】排煙窓が開かれた状態の排煙窓ユニットについて示す図。
【図８】排煙窓が閉じられた状態の排煙窓ユニットについて示す図。
【図９】（ａ）は、排煙窓が閉じられた際の補助機構の様子について示す図。（ｂ）は、補助機構によって排煙窓に作用する反力について説明する図。
【図１０】横桟によって排煙窓の落下が規制される状況について示す図。
【図１１】方立の構成について示す断面図。
【発明を実施するための形態】
【００３１】
次に、発明の実施の形態について説明する。なお、以下の図面を用いた説明においては、便宜上、紙面上側を上、紙面下側を下、紙面左側を左、紙面右側を右として説明することとする。
【００３２】
図１に示す排煙窓ユニット６の形態では、排煙窓１を嵌め殺しのＦＩＸ窓２の上方に連続して配設する構成であり、閉鎖時ではラッチ機構３によって排煙窓１の自重が支えられることによって、開口４が排煙窓１にて閉鎖された状態を維持できるようになっている。また、火災時などの開放時においては、操作引手３０を下方に引っ張ることでラッチ機構３による排煙窓１の支持が開放され、排煙窓１が自重によって下方へ移動して開口４が確保され、この開口４から室外へと排煙できるようになっている。また、いったん下方へ移動した排煙窓１を上方に押し上げて、ラッチ機構３にて排煙窓１を支えることによって、再び、排煙窓１の閉鎖時の状態に戻すことができるようになっている。なお、このような排煙窓１の開閉は、排煙窓１の定期点検などにおいても行われる。
【００３３】
また、図２に示すように、上下げされる排煙窓１とその下方のＦＩＸ窓２を組み合わせてなる排煙窓ユニット６Ａ・６Ｂを横方向に連設し、さらに、縦寸法の長い一枚の嵌め殺しのＦＩＸ窓５を有してなる固定窓ユニット７を連設することで、店舗等の外装を構成することができる。なお、図１及び図２の例では、排煙窓１がＦＩＸ窓２の室外側に下降する配置構成としているが、この他、排煙窓１がＦＩＸ窓２の室内側に下降する配置であってもよい。
【００３４】
また、図３は、図２のＡ−Ａ線断面図であり、図４は、図２のＢ−Ｂ線断面図である。
図３及び図４に示すごとく、排煙窓１は、ガラス等からなる透明の面材１５を、上枠１１、縦枠１２・１３、下枠１４にて構成される四方枠状の枠体にて取り囲んで構成される。また、ＦＩＸ窓２は、ガラス等からなる透明の面材２５を、横桟２１、下枠２４、縦枠６２、方立６３Ａにて構成される四方枠状の枠体にて取り囲んで構成される。また、これら排煙窓１のＦＩＸ窓２は、ユニット枠６０の内側に納められる。このユニット枠６０は、例えば、排煙窓ユニット６Ｂについては、上枠６１、方立６３Ａ、方立６３Ｂ、下枠２４にて四方枠状に構成される。
【００３５】
なお、図３に示される下枠２４に関し、図５に示すごとく、ＦＩＸ窓２が床面２７の近い位置にまで設けられる構成においては、他の構成の下枠２４Ａを利用することとしてもよい。
【００３６】
また、図３に示すごとく、排煙窓１が上側位置にある状態では、排煙窓１の上枠１１の上部が、ユニット枠６０の上枠６１に付設された庇状片部材６１ａ内に納められ、上枠１１と庇状片部材６１ａの間の隙間が塞がれて、開口４の全領域が閉鎖されるようになっている。
【００３７】
また、図６に示すごとく、排煙窓１の上枠１１の見付面１１ａには、係止部材１１ｂが付設されており、この係止部材１１ｂの当接部１１ｃが、ユニット枠６０の上枠６１に垂設されたラッチ機構３のラッチ３１によって、下側から支えられ得るようになっている。このラッチ機構３は、操作ワイヤ３２を介して操作引手３０と接続されており、操作引手３０が引下げられると、ラッチ３１がラッチ機構３内に収容される一方、操作引手３０が引下げられない状況では、内部の発条機構によってラッチ３１が突出した状態が維持されるようになっている。
【００３８】
また、排煙窓１が押し上げられる過程において、係止部材１１ｂの上部の湾曲部１１ｄがラッチ３１に当接した際には、ラッチ３１が発条機構の弾性力に抗してラッチ機構３内にいったん収容され、その後、上枠１１が最上位位置まで達することで係止部材１１ｂがラッチ３１を通過した際には、ラッチ３１が再び突出し、係止部材１１ｂがラッチ３１にて下から支持されるようになっている。なお、排煙窓１の押し上げ操作は、図３に示すごとく、排煙窓１の下枠１４の下面側に設けられる、弾力性のある持ち手部１４ａを上方へ持ち上げることで行うことができるようになっている。
【００３９】
また、図７及び図８に示すごとく、排煙窓１の上枠１１の係止部材１１ｂ、及び、ユニット枠６０の上枠６１のラッチ機構３は、排煙窓１の幅方向において二箇所に配設されている。これにより、排煙窓１の自重が、二箇所においてラッチ機構３・３によって支えられ、閉鎖された状態が維持されるようになっている。また、二つのラッチ機構３・３は、ワイヤ３３を介して接続されて連動するようになっている。これにより、操作引手３０が引下げられた際には、二つのラッチ機構３・３が連動し、両ラッチ機構３・３による上枠１１の係止部材１１ｂ・１１ｂの支持が解除されて、排煙窓１を自重によって下降させることができるようになっている。また、排煙窓１が下降された状態から、排煙窓１を押し上げて開口４を閉鎖した際には、ラッチ機構３・３によって排煙窓１の閉鎖状態が維持されるようになっている。
【００４０】
また、図７及び図８に示すごとく、排煙窓１は、排煙窓１の上部に設けられる補助機構８を介してユニット枠６０に連結されるようになっており、排煙窓１が自重によって下降する際において、補助機構８には排煙窓１を上方へと移動させる方向、即ち、排煙窓１の自重と反対方向の反力が生じるようになっている。そして、この反力が排煙窓１に作用することによって、自重による排煙窓１の落下速度を低下させることができる。これにより、後述するように、横桟２１に排煙窓１のストッパー部１６が衝突する際に生じる衝撃を低減することができるようになり、また、排煙窓１を押し上げる際には、反力によって軽い力で排煙窓１を押し上げることが可能となる。また、本実施形態では、排煙窓１の上枠１１の幅方向の端部の二箇所に、それぞれ補助機構８・８が配設されるようになっている。
【００４１】
図９及び図１０に示すごとく、補助機構８の具体的な構成について、方立６３Ａ側に設けられる補助機構８を用いて説明すると、補助機構８は、排煙窓１の上枠１１の幅方向端部に固定されるケース８１と、このケース８１の内部にいわゆるゼンマイバネ状に巻かれた状態で収容される金属製帯状部材８２とを有して構成される。また、金属製帯状部材８２の一端８２ａはケース８１の内部に固定され、他端８２ｂは方立６３Ａの見込面６３ｍの上部に固定される。
【００４２】
この構成により、図９（ａ）に示すごとく、排煙窓１が閉じられた状態では、ケース８１と金属製帯状部材８２の他端８２ｂが近傍に位置するようになって、金属製帯状部材８２がケース８１内に巻かれた状態で収容される一方、図９（ｂ）に示すごとく、排煙窓１が開かれた状態では、ケース８１から金属製帯状部材８２が巻き出される状態となる。そして、図９（ｂ）の状態では、巻き出された金属製帯状部材８２をケース８１に巻き戻そうとする反力Ｆが生じることになり、この反力Ｆが上枠１１に作用する。この反力Ｆは、排煙窓１の自重Ｇと反対方向であるため、上述したように、排煙窓１を押し上げる際には、その反力Ｆの分だけ軽い力で排煙窓１を押し上げることができ、操作性に優れた排煙窓１を実現することができる。また、排煙窓１が下降して、上枠１１に設けたストッパー部１６が横桟２１に衝突する際にも、反力Ｆにより、衝撃を低減することができる。
【００４３】
なお、図９及び図１０に示す構成の補助機構８によれば、金属製帯状部材８２は方立６３Ａの見込面６３ｍに沿うように巻き出されるため、図９（ｂ）に示される開口４の有効開口面積を広く確保することが可能となる。また、補助機構８の配置や数については、本実施形態の構成に限定されるものではなく、また、補助機構８の構成そのものについても、例えば、排煙窓１を吊り上げる方向に力を発生させるカウンターウェイトを設ける構成や、図１０に示すごとく、ユニット枠６０の上枠６１と排煙窓１の上枠１１を紐状の弾性部材などで連結する構成なども採用し得る。
【００４４】
また、図７及び図８に示すごとく、排煙窓１の上部には、横桟２１の上方となる位置に、ストッパー部１６が設けられており、図７に示すごとく、排煙窓１が開かれた際には、このストッパー部１６が横桟２１に当接することで、排煙窓１が横桟２１に支持された状態となって、排煙窓１の落下が規制されるようになっている。この横桟２１は、ユニット枠６０の方立６３Ａと方立６３Ｂの間に架設される。
【００４５】
より具体的には、図１０に示すごとく、ストッパー部１６は、排煙窓１の上枠１１に設けられる補助機構８のケース８１と、このケース８１の下面に貼付される板状の緩衝材１６ａにて構成される。この構成により、排煙窓１が下降した際には、緩衝材１６ａが横桟２１の上面２１ａに当接することで、ケース８１の部位が横桟２１に支持された状態となって、排煙窓１の落下が規制される。また、本実施形態の構成によれば、金属製帯状部材８２を収容するためのケース８１が、ストッパー部１６の機能を兼ね備えることができ、部品点数の削減を図ることができる。また、緩衝材１６ａについては、樹脂やゴムなどからなる弾性部材にて構成することで、排煙窓１の落下が規制される際の衝突による衝撃を低減するとともに、ケース８１や横桟２１の損傷を防止することができる。なお、図１０に示されるようなストッパー部１６の構成とする他、ケース８１とは別の部位にストッパー部と同等の機能をなす部材を設ける構成なども採用し得る。
【００４６】
次に、図１に示すごとく、排煙窓１とＦＩＸ窓２が納められるユニット枠６０の構成について説明する。
このユニット枠６０は、図３に示すごとく、上枠６１と下枠２４を有している。また、図４に示すごとく、ユニット枠６０は、その縦枠材として、壁面９の近傍に設けられる縦枠６２、方立６３Ａ、方立６３Ｂ、出隅１０の箇所に配置される縦枠６５のうちの少なくとも一つを有することとしており、例えば、排煙窓ユニット６Ｂはユニット枠６０の縦枠材として方立６３Ａ、方立６３Ｂを有する構成としている。
【００４７】
また、図３に示すごとく、ユニット枠６０の上枠６１は、天井側のブラケット４１に固定され、排煙窓１が閉じられた状態では、上枠６１が排煙窓１の上枠１１と対向して開口４を閉鎖するようになっている。また、上枠６１には、ラッチ機構３が垂設されるようになっている。
【００４８】
また、図３に示すごとく、ユニット枠６０の下枠２４は、下側が土台となる基礎４３などに載置固定される。
【００４９】
また、図４に示すごとく、ユニット枠６０の方立６３Ａ・６３Ｂは、本実施形態では、壁面９に近い縦枠６２と出隅１０の間に配設され、排煙窓ユニット６Ａについては、縦枠６２と方立６３Ａの間に排煙窓１とＦＩＸ窓２が配置される構成となり、排煙窓ユニット６Ｂについては、二つの方立６３Ａ・６３Ｂの間に排煙窓１とＦＩＸ窓２が配置される構成となり、固定窓ユニット７については、方立６３Ｂと縦枠６５の間にＦＩＸ窓５が配置される構成となっている。
【００５０】
また、図１１は、方立６３Ｂの箇所について拡大した図である。この方立６３Ｂは、見込面部Ｗ１ａと、見込面部Ｗ１ａの両端部にそれぞれ配置され、見込面部Ｗ１ａと直交する二つの見付面部Ｗ１ｂ・Ｗ１ｃと、を有する第一の枠体Ｗ１と、第一の枠体Ｗ１の見込面部Ｗ１ａに固定され、ＦＩＸ窓２の側端部（面材２５の端部）を挿入し得る第二の縦溝Ｌ２を有する第二の枠体Ｗ２と、を有しており、前記第二の枠体Ｗ２は、前記見付面部Ｗ１ｂとの間に排煙窓１の側端部（縦枠１３）を挿入し得る第一の縦溝Ｌ１を形成する見付面部Ｗ２ｂを有する構成とするものである。
【００５１】
より詳細に説明すると、図１１に示すごとく、本実施形態では、方立６３Ｂは、第一の枠体Ｗ１と、第二の枠体Ｗ２とを組み合わせて構成される。まず、第一の枠体Ｗ１は、見込方向に長い見込面部Ｗ１ａを有し、その両端部において、見込面部Ｗ１ａと直交する見付面部Ｗ１ｂ・Ｗ１ｃを有し、略Ｈ状の断面を構成するようになっている。また、見込面部Ｗ１ａによって方立６３Ｂの室外側の見付面が構成され、見付面部Ｗ１ｃによって方立６３Ｂの室内側の見付面が構成される。なお、本実施形態においては、第一の枠体Ｗ１と第二の枠体Ｗ２を別体としたが、第一の枠体Ｗ１と第二の枠体Ｗ２を押出成形により、一体で構成することも考えられる。
【００５２】
また、図１１において見込面部Ｗ１ａを挟んで左右に二つの略コ字状の空間が形成され、各空間には、見込面部Ｗ１ａを挟んで線対称となるように第二の枠体Ｗ２・Ｗ２が配設される。この第二の枠体Ｗ２・Ｗ２は、その縦面部Ｗ２ａが図示せぬ固定具によって見込面部Ｗ１ａに対して固定される。
【００５３】
また、図１１に示すごとく、第二の枠体Ｗ２は、第一の枠体Ｗ１の見付面部Ｗ１ｂと対向する見付面部Ｗ２ｂを有しており、この見付面部Ｗ２ｂと見付面部Ｗ１ｂとの間において、排煙窓１の縦枠１３を摺動自在に挿入し得る第一の縦溝Ｌ１が形成されるようになっている。また、第二の枠体Ｗ２は、第一の枠体Ｗ１の見込面部Ｗ１ａに対向する縦面部Ｗ２ａと、この縦面部Ｗ２ａを挟んで見付面部Ｗ２ｂと対向する縦面部Ｗ２ｃを有している。そして、この縦面部Ｗ２ｃと見付面部Ｗ２ｂの間に、ＦＩＸ窓２を挿入し得る第二の縦溝Ｌ２が形成されるようになっている。
【００５４】
また、図１１に示すごとく、排煙窓１が設置される排煙窓ユニット６Ｂの側に固定される第二の枠体Ｗ２については、横桟２１よりも上方の部位において、第二の縦溝Ｌ２の開口を塞ぐ化粧枠材６６が嵌着されて、横桟２１のよりも下方の部位において、第二の縦溝Ｌ２に対してＦＩＸ窓２の面材２５の端部が挿入された状態となる。また、排煙窓１が設置されない固定窓ユニット７の側に固定される第二の枠体Ｗ２については、第二の縦溝Ｌ２の全長にわたってＦＩＸ窓５の面材５５の端部が挿入された状態となる。
【００５５】
また、図１１に示すごとく、第二の枠体Ｗ２は、第一の枠体Ｗ１の見込面部Ｗ１ａと対向する見込面部Ｗ２ｄを有しており、この見込面部Ｗ２ｄによって、縦面部Ｗ２ｃと第一の枠体Ｗ１の見付面部Ｗ１ｃの間に形成される空間Ｍが閉じられるようになっている。また、この見込面部Ｗ２ｄと化粧枠材６６によって、一連の見込面Ｗ２ｅを形成できるようになっている。
【００５６】
そして、図１１に示すごとく、以上の構成とする方立６３Ｂによれば、排煙窓１とその下方にＦＩＸ窓２を有してなる排煙窓ユニット６Ｂと、ＦＩＸ窓５を有してなる固定窓ユニット７とを、方立６３Ｂを介して設置することができる。また、図４に示すように、方立６３Ｂと同一構成の方立６３Ａを用いることで、排煙窓１とその下方にＦＩＸ窓２を有してなる二つの排煙窓ユニット６Ａ・６Ｂ同士を、方立６３Ａを介して設置することもできる。また、方立６３Ａ・６３Ｂのそれぞれにおいて、第二の枠体Ｗ２を第一の枠体Ｗ１を挟んで線対称に配置して利用することで、第二の枠体Ｗ２を共通部材として利用することができ、少ない部品点数にて方立６３Ａ・６３Ｂを構成することができる。
【００５７】
さらに、図４に示すごとく、方立６３Ａ・６３Ｂに使用される第二の枠体Ｗ２を、出隅１０の縦枠６５を構成するための部材として用いてもよい。つまり、第二の枠体Ｗ２は、ＦＩＸ窓５の面材５５の端部が挿入される第二の縦溝Ｌ２を有しており、この第二の縦溝Ｌ２の開口を方立６３Ｂ側に向けるようにして縦枠６５の柱材６５ａに固定することにより、縦枠６５の第二の枠体Ｗ２と、方立６３Ｂの第二の枠体Ｗ２の間に、ＦＩＸ窓５の面材５５を固定することが可能となるのである。なお、壁面９の近傍に設けられる縦枠６２についても、図４に示す構成とするほか、第二の枠体Ｗ２を縦枠６２を構成するための部材として用いてもよい。
【００５８】
また、図４に示すごとく、出隅１０に配置する縦枠６５の柱材６５ａについて、ＦＩＸ窓５と直交する面に排煙窓１Ａを配設する場合においても、柱材６５ａに第二の枠体Ｗ２を設けるとともに、この第二の枠体Ｗ２の見付面部Ｗ２ｂに、連結部材６５ｂを介して断面Ｌ字状の見付縦枠６５ｃを儲け、この見付縦枠６５ｃと見付面部Ｗ２ｂの間に、排煙窓１Ａの縦枠１３を摺動自在に挿入し得る縦溝Ｌ３を構成することができる。同様に、壁面９の近傍に設けられる縦枠６２についても、見付縦枠６５ｃを設置することによって、排煙窓１の縦枠１２を摺動自在に挿入し得る縦溝Ｌ４を構成することができる。
【００５９】
なお、図１１に示す実施形態では、第二の縦溝Ｌ２に挿入されるＦＩＸ窓２の側端部が面材２５の端部であって、第一の縦溝Ｌ１に挿入される排煙窓１の側端部が縦枠１３であるが、この他、ＦＩＸ窓２に面材２５の端部を覆う縦枠を別途設けることで、この縦枠をＦＩＸ窓２の側端部として第二の縦溝Ｌ２に挿入する形態や、排煙窓１について縦枠１３を設けずに、面材１５が第一の縦溝Ｌ１に直接挿入される形態についても、実施形態として考えられる。
【００６０】
なお、図３に示すごとく、ＦＩＸ窓２の面材２５の取付については、下枠２４の室外側の見付面を構成する板片２４ａを取外した状態で、面材２５の側端部を第二の縦溝Ｌ２（図１１参照）に挿入しつつ、面材２５の上部を横桟２１の下面に突き当てるようにして移動させる。その後、シーリング材２５ａを隙間に挿入した後に、板片２４ａを取付けることによって、面材２５の取付を完了できる構成となっている。
【００６１】
以上の実施形態に説明したように、本発明では、
図１及び図１１に示すごとく、上下げされる排煙窓１と、前記排煙窓１の下方にＦＩＸ窓２を有する排煙窓ユニット６Ｂであって、前記排煙窓ユニット６Ｂは、前記排煙窓１と前記ＦＩＸ窓２を組み付けるための方立６３Ｂを少なくとも一つ有し、前記方立６３Ｂは、第一の枠体Ｗ１と、前記ＦＩＸ窓２の側端部を挿入し得る第二の縦溝Ｌ２を有する第二の枠体Ｗ２と、を有しており、前記縦溝Ｌ２に対して室内外方向にずれた位置において、前記第一の枠体Ｗ１と前記第二の枠体Ｗ２の間には、排煙窓１の側端部を挿入し得る第一の縦溝Ｌ１が形成されるものとする。
【００６２】
また、図１及び図１１に示すごとく、上下げされる排煙窓１と、前記排煙窓１の下方にＦＩＸ窓２を有する排煙窓ユニット６Ｂ用の方立６３Ｂであって、前記方立６３Ｂは、第一の枠体Ｗ１と、前記ＦＩＸ窓２の側端部を挿入し得る第二の縦溝Ｌ２を有する第二の枠体Ｗ２と、を有しており、前記縦溝Ｌ２に対して室内外方向にずれた位置において、前記第一の枠体Ｗ１と前記第二の枠体Ｗ２の間には、排煙窓１の側端部を挿入し得る第一の縦溝Ｌ１が形成されるものとする。
【００６３】
これにより、上下げされる排煙窓１とその下方のＦＩＸ窓２を組み付けるための第一の縦溝Ｌ１、第二の縦溝Ｌ２をそれぞれ構成することができ、方立６３Ｂに対して排煙窓１とＦＩＸ窓２を組み付ける構成を実現することができる。
【００６４】
また、図１１に示すごとく、前記方立６３Ｂには、前記第一の枠体Ｗ１の見込面部Ｗ１ａを挟んで二つの前記第二の枠体Ｗ２・Ｗ２が設けられ、前記見込面部Ｗ１ａを挟んで両側に、前記第一の縦溝Ｌ１、及び、前記第二の縦溝Ｌ２が形成され得る構成とするものである。
【００６５】
これにより、図４に示すごとく、方立６３Ａを挟んで排煙窓ユニット６Ａ・６Ｂを連設する構成や、方立６３Ｂを挟んで排煙窓ユニット６Ｂ・固定窓ユニット７を配置する構成を、適宜実現することができる。換言すれば、方立６３Ａ・６３Ｂにおいて、排煙窓ユニットと固定窓ユニットの両方に対応することが可能となり、方立を構成する部品の共通化を図ることができる。
【００６６】
また、図１１に示すごとく、前記第一の枠体Ｗ１と、前記第二の枠体Ｗ２は、別体に構成され、前記第一の枠体Ｗ１に、前記第二の枠体Ｗ２が固定される構成とするものである。
【００６７】
これにより、図４に示すごとく、第二の枠体Ｗ２を出隅１０などの部位にも利用することができ、方立とそれ以外の箇所において共通の第二の枠体Ｗ２を利用することができ、部品点数の削減を図ることができる。
【００６８】
また、図７乃至図１０に示すごとく、前記排煙窓１の上枠１１にはストッパー部１６が設けられており、前記排煙窓１が下降した際に、前記ストッパー部１６が前記方立６３Ａに固定される横桟２１に当接することで、前記排煙窓１の下降が規制される構成とするものである。
【００６９】
これにより、簡易な構成で、排煙窓１の下降を規制することが可能となる。
【００７０】
また、図７乃至図１０に示すごとく、前記排煙窓ユニット６Ｂは、前記方立６３Ａを構成部材として有するユニット枠６０を有し、前記排煙窓１は、補助機構８を介して前記ユニット枠６０に連結されており、前記補助機構８は、前記排煙窓１を押し上げる方向の反力を発生し得る構成とするものである。
【００７１】
これにより、横桟２１に排煙窓１のストッパー部１６が衝突する際に生じる衝撃を低減することができるようになり、また、排煙窓１を押し上げる際には、反力によって軽い力で排煙窓１を押し上げることが可能となる。
【００７２】
また、図１０に示すごとく、前記補助機構８のケース８１は、前記ストッパー部１６の一部を構成するものである。
【００７３】
これにより、補助機構８のケース８１が、ストッパー部１６の機能を兼ね備えることができ、部品点数の削減を図ることができる。
【産業上の利用可能性】
【００７４】
本発明は、店舗、オフィス、住宅など、各種建物に設置される排煙窓について、幅広く適用可能である。
【符号の説明】
【００７５】
１    排煙窓
２    ＦＩＸ窓
３    ラッチ機構
４    開口
５    ＦＩＸ窓
６Ａ    排煙窓ユニット
６Ｂ    排煙窓ユニット
７    固定窓ユニット
８    補助機構
１１    上枠
１２    縦枠
１３    縦枠
１６    ストッパー部
２１    横桟
３０    操作引手
６０    ユニット枠
６１    上枠
６２    縦枠
６３Ａ  方立
６３Ｂ  方立
Ｆ    反力
Ｇ    自重
Ｌ１    第一の縦溝
Ｌ２    第二の縦溝
Ｗ１    第一の枠体
Ｗ２    第二の枠体
【図１】
2011080198.tif 000003
【図２】
2011080198.tif 000004
【図３】
2011080198.tif 000005
【図４】
2011080198.tif 000006
【図５】
2011080198.tif 000007
【図６】
2011080198.tif 000008
【図７】
2011080198.tif 000009
【図８】
2011080198.tif 000010
【図９】
2011080198.tif 000011
【図１０】
2011080198.tif 000012
【図１１】
2011080198.tif 000013